(57)【要約】【課題】本発明の目的は、紫外線照射下で硬化する印刷用インクを印刷するための基層を有する、自立の不燃性のパネル（１）を有する掲示板を提供することである。【解決手段】不燃性の掲示板を得るために、前記パネル（１）を繊維セメントから作製し、パネルに、アクリル系印刷用インクを印刷するための基層として、着色顔料を任意に含んだ、アクリレート被覆層（２）を直接に塗布することを提案する。【選択図】図１
2009515221.tif 000002
【特許請求の範囲】
【請求項１】
紫外線照射下で硬化する印刷用インクを印刷するための基層と、自立で不燃性のパネルを有する掲示板であって、
該パネル（１）が繊維セメントから製造され、
該パネルに、アクリル系印刷用インクをその上に印刷するための基層として、着色顔料を任意に含むアクリレート被覆層（２）を、直接塗布することを特徴とする掲示板。
【請求項２】
前記パネル(１)の単位面積当たりの、アクリレート被覆層(２)およびアクリレート被覆層に塗布される印刷用インクの総量が、前記掲示板が不燃性であるために許容可能な最大量未満であることを特徴とする、請求項１に記載の掲示板。
【発明の詳細な説明】
【技術分野】
【０００１】
本発明は、紫外線照射下で硬化する印刷用インクを印刷するための基層と、自立の不燃性パネルを有する掲示板に関する。
【背景技術】
【０００２】
従来の掲示板は、通例木質材料でできた自立のパネルを有し、その上にポスターを糊付けする。このような掲示板はしかし可燃性と評価しなければならず、それゆえ可燃性備品の使用を禁止する火災保全地域では使用できない。この状況は、自立のパネルが例えば金属またはガラスなどの不燃性材料からなる場合でさえ変らない。それは、該不燃性パネルに積層される印刷フィルムおよび印刷フィルムと該不燃性パネルの間の接着剤層で作られる複合体が、火災保全格付けの意味上、不燃性とは評価できないからである。それとは別に、金属またはガラスの支持パネルを有する比較的大きな掲示板は、建造物の音響効果上不利である。
【発明の開示】
【発明が解決しようとする課題】
【０００３】
本発明の課題は、従って、非常に精密な印刷イメージなしで済ませる必要なしで、比較的低コストで不燃性に関する必要条件を満たせるように、上述の欠点を回避し、最初に説明した種類の掲示板を作成することである。
【課題を解決するための手段】
【０００４】
本発明は、繊維セメントからなるパネルを作製し、アクリル系印刷用インクを印刷するための基層としての、着色顔料を任意に含むアクリレート被覆層を直接パネルに塗布することによって、前記課題を解決する。
【発明の効果】
【０００５】
前記自立パネルの材料として繊維セメントを使用することは第一に、特に該パネルを後部の換気を行いながら壁に装備する場合の、有利な建造物の音響効果状態を保障する。加えて、繊維セメントでできたこのようなパネルは耐湿性があるが、これは、公衆駐車場において一般にそうであるような、湿った場所に掲示板を配置する場合に特に重要である。プラスチックまたは紙でできた積層された印刷フィルムによって、このような繊維セメントできた自立のパネルを有する掲示板の不燃性が危うくされないようにする方法は、このようなフィルムなしですませることである。しかし、セメント材料への印刷用インクの付着が不十分なため繊維セメントでできたパネルに直接は印刷できないため、該パネルの目に見える側面に、印刷用インクを印刷するための基層の働きをするアクリレート被覆層を設ける。紫外線照射下で硬化するアクリル系印刷用インクが使用されることで、追加の結合剤なしでの、繊維セメントでできたパネルのアクリレート被覆層と印刷用インクとの間の長持ちする、耐摩耗性のある結合が保証される。これは、アクリレート被覆層もアクリル系印刷用インクもどちらとも火災保全基準の不燃性をそれ自体では満たさないが、このような掲示板が不燃性と評価される重要な必要条件を与える。基層が選択され、これに適合する印刷用インクと協同させることによって、繊維セメントと被覆層の複合体が火災保全格付けの意味上不燃性と評価される程度までに、アクリレート被覆層と印刷用インクの全部の厚さを限定することが可能となる。繊維セメントでできた前記支持パネルには、アクリレート被覆がなされ、アクリル系インクのために有利な印刷土台が得られる。アクリル系インクはプリンタの助けを借りて、清浄されたアクリレート被覆上に直接に吹き付けられ、紫外線によって硬化され得る。その上、印刷イメージは高度に正確な精密さを有しているので、印刷イメージはフォトリアリスティックイメージの品質を有し得る。望まれるならば、着色顔料をアクリレート被覆層に添加し得、土台に特定の色彩を与え得る。
【０００６】
前記掲示板が火災保全格付けの意味上不燃性に格付けされ得るためには、前記パネルの単位面積当たりのアクリレート被覆層と該アクリレート被覆層に塗布される前記印刷用インクの総量が、掲示板が不燃性とされるために許容可能な最大量未満であるように注意すべきである。アクリレート被覆層および印刷用インクの層厚さが、それぞれの場合多くとも０．１ｍｍであれば、これらの条件は容易に満たされる。
【発明を実施するための最良の形態】
【０００７】
例示される実施形態による前記掲示板は、その目に見える側面をアクリレート被覆層２で被覆した、繊維セメントからなる自立のパネル１を有する。後ろの側面も同様に被覆層３を有しえるが、この被覆層は火災保全格付けの意味上複合体が不燃性であることが確かであるように準備しなくてはならない。着色顔料が任意に添加された、アクリレート被覆層２上には、直接に印刷できるが、より具体的には、印刷用インクをデジタルに、プリンタの制御下にある基層としてのアクリレート被覆層２上に吹き付けるプリンタの助けを借りて印刷し得る。アクリレート被覆層２上に吹き付けられたアクリル系インクによるインク層４は、印刷操作中に、紫外線の放射体の助けを借りて硬化させられ、追加の結合剤を使う必要なしに、該インク層４とアクリレート被覆層２の間に長持ちする結合を形成する。前記アクリレート被覆層２と前記インク層４のどちらもそれ自体は不燃性とは評価できないのであるが、そうする中で、アクリレート被覆層２およびアクリル系インク層４の全部の厚さを、複合体が不燃性と格付けされるまでに十分に薄く保ち得る。加えて、薄い層厚さのアクリレート被覆層２およびインク層４は繊維セメントでできたパネル１の防音性になんら影響しないので、特にこのような広表面積の掲示板を後部を換気しながら壁に装備する場合など、このような掲示板を使用する場合、有利な建造物音響効果状態が得られる。前記掲示板は、薄い被覆層厚さおよび耐湿性を有するため、例えば温度に関するストレスまたは変形の結果の、ストレスによるひびおよび裂傷が掲示板に生じる危険性もまた排除できる。
【図面の簡単な説明】
【０００８】
【図１】図１は、例示によって本発明物を示し、本発明による掲示板の詳細を断面図で示す。
【符号の説明】
【０００９】
１              パネル
２              アクリレート被覆層
３              被覆層
４              インク層
【図１】
2009515221.tif 000003
【国際調査報告】
2009515221.tif 000004
2009515221.tif 000005
2009515221.tif 000006
2009515221.tif 000007